(57)【要約】      （修正有）【課題】持ち運びが便利で、移動の際に液晶パネルを確実に保護でき、さらにコンパクトな新しいデザインのディスプレイを提供する。【解決手段】ディスプレイパネル３０を有する本体１０と、ディスプレイパネル３０を覆うカバー部２０とを備え、カバー部２０は、カバー部２０がディスプレイパネル３０を覆う位置である第一位置と、カバー部２０とディスプレイパネル３０とが既定夾角θをなす位置である第二位置の間で回転可能に本体１０と接続され、カバー部２０は第二位置にあるときに本体１０を略直立状態に支持するように構成した。【選択図】図２
0003109403.tif 000002
【実用新案登録請求の範囲】
【請求項１】
ディスプレイパネルを有する本体と、前記ディスプレイパネルを覆うカバー部とを備え、このカバー部は、前記カバー部が前記ディスプレイパネルを覆う位置である第一位置と、前記カバー部と前記ディスプレイパネルとが既定夾角θをなす位置である第二位置の間で回転可能に前記本体と接続され、前記カバー部は前記第二位置にあるときに前記本体を略直立状態に支持するように構成されたことを特徴とするディスプレイ。
【請求項２】
前記カバー部に手提げを設けたことを特徴とする請求項１に記載のディスプレイ。
【請求項３】
前記本体と前記カバー部とを接続する接続装置を備えたことを特徴とする請求項１又は２に記載のディスプレイ。
【請求項４】
前記接続装置は、回転軸と接続部とを含み、前記接続部は突出部を有し、前記突出部によって前記カバー部を前記第一位置と前記第二位置に固定するとともに前記カバー部を前記既定夾角θ内で自由に回転可能に構成したことを特徴とする請求項３に記載のディスプレイ。
【請求項５】
前記既定夾角θは、０−３５０度の間であることを特徴とする請求項１〜４のいずれか１項に記載のディスプレイ。
【請求項６】
前記既定夾角θは、０−３３０度の間であることを特徴とする請求項１〜４のいずれか１項に記載のディスプレイ。
【請求項７】
前記既定夾角θは、０−３００度の間であることを特徴とする請求項１〜４のいずれか１項に記載のディスプレイ。
【請求項８】
前記回転軸は、油圧軸からなることを特徴とする請求項４〜７のいずれか１項に記載のディスプレイ。
【請求項９】
前記カバー部は、透明な材料から形成されたことを特徴とする請求項１〜８のいずれか１項に記載のディスプレイ。
【請求項１０】
前記カバー部は、不透明な材料から形成されたことを特徴とする請求項１〜８のいずれか１項に記載のディスプレイ。
【請求項１１】
前記本体は液晶ディスプレイであることを特徴とする請求項１〜１０のいずれか１項に記載のディスプレイ。
【請求項１２】
前記本体はテレビであることを特徴とする請求項１〜１０のいずれか１項に記載のディスプレイ。
【請求項１３】
前記本体はプラズマディスプレイであることを特徴とする請求項１〜１０のいずれか１項に記載のディスプレイ。
【請求項１４】
前記本体は有機発光ディスプレイであることを特徴とする請求項１〜１０のいずれか１項に記載のディスプレイ。
【考案の詳細な説明】
【技術分野】
【０００１】
本考案は、ディスプレイに関し、特に、ベースを兼ねることができるカバーを有するディスプレイに関するものである。
【背景技術】
【０００２】
ディスプレイ、例えば、テレビ、液晶ディスプレイ、ノート型パソコンのモニタなどは、技術の進歩に伴い性能が向上し、消費者は、軽量薄型の形状や、画面の品質を考慮に入れる他、ディスプレイの外観に対しても、更に、精巧さ、使い易さを重視するようになってきている。
【０００３】
ここで、液晶ディスプレイを例にすると、大部分のユーザーは、液晶ディスプレイを会社または自宅の机の上に置いて用いているが、ディスプレイを移動したり、またディスプレイを持って外出したりするときには、持ち運びしやすいものとはなっていなかった。また、液晶ディスプレイを移動する際には、充分な保護措置を施さなければ、液晶パネルをぶつけてしまって破損するおそれがあった。また、従来のディスプレイの外型はデザインが画一的であり、創造性に乏しく、消費者の精緻な外型に対する需要を満足するものとはなっていなかった。
【考案の開示】
【考案が解決しようとする課題】
【０００４】
そこで、本考案は、上述の問題を解決し、持ち運びが便利で、移動の際に液晶パネルを確実に保護でき、さらにコンパクトな新しいデザインのディスプレイを提供することを目的とする。
【課題を解決するための手段】
【０００５】
本考案のディスプレイは、ディスプレイパネルを有する本体と、前記ディスプレイパネルを覆うカバー部とを備え、このカバー部は、前記カバー部が前記ディスプレイパネルを覆う位置である第一位置と、前記カバー部と前記ディスプレイパネルとが既定夾角θをなす位置である第二位置の間で回転可能に前記本体と接続され、前記カバー部は前記第二位置にあるときに前記本体を略直立状態に支持するように構成されたことを特徴とする。
【０００６】
また、前記カバー部に手提げを設けたことを特徴とする。
【０００７】
また、前記本体と前記カバー部とを接続する接続装置を備えたことを特徴とする。
【０００８】
また、前記接続装置は、回転軸と接続部とを含み、前記接続部は突出部を有し、前記突出部によって前記カバー部を前記第一位置と前記第二位置に固定するとともに前記カバー部を前記既定夾角θ内で自由に回転可能に構成したことを特徴とする。
【０００９】
また、前記既定夾角θは、０−３５０度の間、０−３３０度の間、又は０−３００度の間であることを特徴とする。
【００１０】
また、前記回転軸は、油圧軸からなることを特徴とする。
【００１１】
また、前記カバー部は、透明な材料又は不透明な材料から形成されたことを特徴とする。
【００１２】
さらに、前記本体は液晶ディスプレイ、テレビ、プラズマディスプレイ、有機発光ディスプレイのいずれかであることを特徴とする。
【考案の効果】
【００１３】
本考案のディスプレイによれば、持ち運びが便利で、移動の際に液晶パネルを確実に保護でき、さらにコンパクトな新しいデザインのディスプレイを提供することができる。
【考案を実施するための最良の形態】
【００１４】
本考案についての目的、特徴、長所が一層明確に理解されるよう、以下に実施形態を例示し、図面を参照しながら、詳細に説明する。
【実施例】
【００１５】
本考案のディスプレイの実施形態について、具体例を挙げて詳細に説明する。なお、ここでは液晶ディスプレイを例にとって説明するが、本考案の特徴はまた、例えば、テレビ、プラズマディスプレイ（ＰＤＰ）、有機発光ディスプレイ（ＯＬＥＤ）などのその他のディスプレイ、に用いることができるものである。
【００１６】
図１は、本考案の第一位置における液晶ディスプレイ１００の斜視図を示し、図２は、本考案の第二位置における液晶ディスプレイ１００の斜視図を示している。
【００１７】
本考案の液晶ディスプレイ１００は、本体１０とカバー部２０を備えている。そして、本体１０は、第一ハウジング１１、第二ハウジング１２とディスプレイパネル３０を備えている。また、ディスプレイパネル３０は、第一ハウジング１１と第二ハウジング１２の間に設置されている。カバー部２０は、カバー部２０がディスプレイパネル３０を覆う位置である第一位置（図１）と、カバー部２０とディスプレイパネル３０とが既定夾角θをなす位置としての第二位置（図２）の間で回転することができる形で本体１０と接続されている。カバー部２０が第一位置にある時、カバー部２０は、本体１０をカバーし、ディスプレイパネル３０のディスプレイ領域を覆い、ディスプレイパネル３０を保護するようになっている。さらに、カバー部２０のトップ部には、手提げ２２が設けられており、カバー部２０が上述の第一位置にある時、手提げ２２によってディスプレイを便利に持ち運びできるようになっている。
【００１８】
また、カバー部２０は、透明な材料または不透明な材料のどちらで形成してもよいが、カバー部２０を透明な材料から形成した場合には、カバー部２０が本体１０をカバーしている時でも、ユーザーは、カバー部２０を開ける必要がなく、透明のカバー部２０を通してディスプレイパネル３０のディスプレイ領域の画面を観賞することができる。また、カバー部２０の外表面は、種々のパターンの形状に形成してもよく、ディスプレイ１００が使用されない時カバー部２０で覆われたディスプレイ１００の外形がきれいな装飾品となるように構成されている。
【００１９】
図２に示すように、カバー部２０が第一位置から既定夾角θの第二位置まで回転された時、カバー部２０は、ＸＹ平面上で本体１０を支え、ディスプレイパネル３０を直立状態にさせるためのベースとして用いられる。
【００２０】
図３は、本考案の液晶ディスプレイ１００の本体１０とカバー部２０の分解斜視図を示している。この図から見られるように、液晶ディスプレイ１００は更に接続装置４０を備え、この接続装置４０によって本体１０とカバー部２０を接続している。また、この接続装置４０を軸として、カバー部２０を本体１０に対して既定夾角θまで回転をさせることができるようになっている。
【００２１】
図４は、図３の部位ＩＶの部分拡大図を示している。本実施例では、接続装置４０は、回転軸４２、一対のワッシャー４４と一対の接続部４６を備えている。図３に示すように、回転軸４２は、ネジなどの部材によって本体１０と接続することができるようになっている。回転軸４２は、カバー部２０の回転速度を制御することができるように、油圧式の油圧軸から構成されている。図４に示すように、接続部４６は、ワッシャー４４を介して回転軸４２の両端に当たるように設置され、カバー部２０と回転軸４２を接続している。接続部４６には、突出部４８が設置され、この突出部４８によってカバー部２０を前述の第一位置と第二位置に固定し、カバー部２０を既定夾角θ（図２に示すように）内で自由に回転させるように構成されている。ここでは、突出部４８の位置は特に限定されず、デザイン上の要求に基づいて変えることができる。
【００２２】
また、上述の既定夾角θは、３６０度を超えて開いてはならず、０−３５０度の間が好ましく、０−３３０度の間はより好ましく、０−３００度の間は最も好ましい。
【００２３】
以上のように、本実施例のディスプレイは、ディスプレイパネル３０を有する本体１０と、前記ディスプレイパネル３０を覆うカバー部２０とを備え、このカバー部２０は、前記カバー部２０が前記ディスプレイパネル３０を覆う位置である第一位置と、前記カバー部２０と前記ディスプレイパネル３０とが既定夾角θをなす位置である第二位置の間で回転可能に前記本体１０と接続され、前記カバー部２０は前記第二位置にあるときに前記本体１０を略直立状態に支持するように構成されている。
【００２４】
また、前記カバー部２０に手提げ２２を設けている。
【００２５】
また、前記本体１０と前記カバー部２０とを接続する接続装置４０を備えている。
【００２６】
また、前記接続装置４０は、回転軸４２と接続部４６とを含み、前記接続部４６は突出部４８を有し、前記突出部４８によって前記カバー部２０を前記第一位置と前記第二位置に固定するとともに前記カバー部２０を前記既定夾角θ内で自由に回転可能に構成している。
【００２７】
また、前記回転軸は、油圧軸からなる。
【００２８】
上記の構成によれば、持ち運びが便利で、移動の際に液晶パネルを確実に保護でき、さらにコンパクトな新しいデザインのディスプレイを提供することができる。
【００２９】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００３０】
【図１】本考案のディスプレイの第一位置における斜視図である。
【図２】本考案のディスプレイの第二位置における斜視図である。
【図３】本考案のディスプレイの本体とカバー部の分解斜視図である。
【図４】図３の部位ＩＶの部分拡大図である。
【符号の説明】
【００３１】
１０  本体
１１  第一ハウジング
１２  第二ハウジング
２０  カバー部
２２  手提げ
３０  ディスプレイパネル
４０  接続装置
４２  回転軸
４４  ワッシャー
４６  接続部
４８  突出部
１００  ディスプレイ
θ  既定夾角
【図１】
0003109403.tif 000003
【図２】
0003109403.tif 000004
【図３】
0003109403.tif 000005
【図４】
0003109403.tif 000006